(57)【要約】【課題】空気入りタイヤの高速走行性能を効果的に向上させる。【解決手段】第１ベルト強化層34の幅方向両外側端34ａに位置する第１リボン状体40の末端部65と、第２ベルト強化層43の幅方向内側端43ａに位置する第２リボン状体56の末端部66とを半径方向に重ね合わせるようにしたので、これら第１および第２リボン状体40、56のスチールコード36および補強コード49の末端部同士は、これらを被覆する被覆ゴム39、54を介して互いに連結されて、あたかもこれらスチールコード36、補強コード49が連続しているように振る舞い、これにより、内圧充填、径成長に基づく張力を有効に負担し、高速走行性能が向上する。【選択図】図３
2009248573.tif 000002
【特許請求の範囲】
【請求項１】
対をなすビードコア間をトロイダル状に延びるカーカス層と、カーカス層の半径方向外側に配置され、タイヤ赤道Ｓに対して傾斜しているベルトコードが内部に埋設されたベルト層と、ベルト層の半径方向外側に配置されたトレッドと、ベルト層とトレッドとの間で前記ベルト層の幅方向中央部に重なり合うよう配置され、スチールコードをゴム被覆した第１リボン状体を螺旋状に巻回することで構成した第１ベルト強化層と、ベルト層とトレッドとの間で前記ベルト層の幅方向両端部に重なり合うよう配置され、高弾性の有機繊維からなる補強コードをゴム被覆した第２リボン状体を螺旋状に巻回することで構成した一対の第２ベルト強化層とを備えた空気入りタイヤにおいて、前記第１ベルト強化層の幅方向両外側端に位置する第１リボン状体の末端部と、第２ベルト強化層の幅方向内側端に位置する第２リボン状体の末端部とを半径方向に重ね合わせるようにしたことを特徴とする空気入りタイヤ。
【請求項２】
前記第１、第２リボン状体の末端部同士の長手方向における重なり合い量Ｌを、 5〜30mmの範囲内とした請求項１記載の空気入りタイヤ。
【請求項３】
前記補強コードは、少なくとも一部に芳香族ポリアミド繊維を含む請求項１または２記載の空気入りタイヤ。
【請求項４】
前記第２ベルト強化層を途中で折返して、幅方向外側に位置する第２リボン状体の末端を、２層構造となった第２ベルト強化層の幅方向外側端より幅方向内側に位置させた請求項１〜３のいずれかに記載の空気入りタイヤ。
【請求項５】
対をなすビードコア間をトロイダル状に延びるカーカス層と、カーカス層の半径方向外側に配置され、タイヤ赤道Ｓに対して傾斜しているベルトコードが内部に埋設されたベルト層と、ベルト層の半径方向外側に配置されたトレッドと、ベルト層とトレッドとの間で前記ベルト層の幅方向中央部に重なり合うよう配置され、スチールコードをゴム被覆した第１リボン状体を螺旋状に巻回することで構成した第１ベルト強化層と、ベルト層とトレッドとの間で前記ベルト層の幅方向両端部に重なり合うよう配置され、高弾性の有機繊維からなる補強コードをゴム被覆した第２リボン状体を螺旋状に巻回することで構成した一対の第２ベルト強化層とを備えた空気入りタイヤの第１、第２ベルト強化層を円筒状の成形ドラム上において成形する際、前記第１ベルト強化層の幅方向両外側端に位置する第１リボン状体の末端部と、第２ベルト強化層の幅方向内側端に位置する第２リボン状体の末端部とを半径方向に重ね合わせるとともに、これらの長手方向における重なり合い量Ｍを第１ベルト強化層の１周長の 1％以上としたことを特徴とする空気入りタイヤの製造方法。
【発明の詳細な説明】
【技術分野】
【０００１】
この発明は、ベルト層とトレッドとの間に、周方向に延びるコードが埋設されているベルト強化層を配置した空気入りタイヤおよびその製造方法に関する。
【背景技術】
【０００２】
従来の空気入りタイヤおよびその製造方法としては、例えば以下の特許文献１に記載されているようなものが知られている。
【特許文献１】特開２００７−３０８１０１号公報
【０００３】
このものは、対をなすビードコア間をトロイダル状に延びるカーカス層と、カーカス層の半径方向外側に配置され、タイヤ赤道Ｓに対して傾斜しているベルトコードが内部に埋設されたベルト層と、ベルト層の半径方向外側に配置されたトレッドと、ベルト層とトレッドとの間で前記ベルト層の幅方向中央部に重なり合うよう配置され、スチールコードをゴム被覆した第１リボン状体を螺旋状に巻回することで構成した第１ベルト強化層と、ベルト層とトレッドとの間で前記ベルト層の幅方向両端部に重なり合うよう配置され、芳香族ポリアミド繊維からなる補強コードをゴム被覆した第２リボン状体を螺旋状に巻回することで構成した一対の第２ベルト強化層とを備えたものである。
【０００４】
そして、このものはベルト層の幅方向両端部に、収縮方向の曲げ剛性が著しく低い芳香族ポリアミド繊維からなる周方向の補強コードが埋設された第２ベルト強化層を重ね合わせて配置することで、タイヤ成形時、加硫時におけるトレッド端部の縮径に基づく周方向の収縮を波打ちを生じさせることなく吸収するとともに、高速走行時におけるトレッド端部の径成長を抑制する一方、ベルト層の幅方向中央部に、周方向のスチールコードが埋設された第１ベルト強化層を重ね合わせて配置することで、トラクション性能の向上および高速走行時の径成長を強力に抑制するようにしている。
【発明の開示】
【発明が解決しようとする課題】
【０００５】
しかしながら、前述のような空気入りタイヤを実際に製造して走行試験を行うと、高速走行性能が予期したレベルに達していないことが判明した。このため、本発明者はその理由を解明すべく鋭意研究を行い、第１ベルト強化層の幅方向両外側端に位置する第１リボン状体の末端と、第２ベルト強化層の幅方向内側端に位置する第２リボン状体の末端との間に、加硫時の拡張によって間隙が発生し、これにより、第１ベルト強化層と第２ベルト強化層との境界において張力負担が中断していることが原因であることを見出した。
【０００６】
この発明は、高速走行性能を効果的に向上させることができる空気入りタイヤおよびその製造方法を提供することを目的とする。
【課題を解決するための手段】
【０００７】
このような目的は、第１に、対をなすビードコア間をトロイダル状に延びるカーカス層と、カーカス層の半径方向外側に配置され、タイヤ赤道Ｓに対して傾斜しているベルトコードが内部に埋設されたベルト層と、ベルト層の半径方向外側に配置されたトレッドと、ベルト層とトレッドとの間で前記ベルト層の幅方向中央部に重なり合うよう配置され、スチールコードをゴム被覆した第１リボン状体を螺旋状に巻回することで構成した第１ベルト強化層と、ベルト層とトレッドとの間で前記ベルト層の幅方向両端部に重なり合うよう配置され、高弾性の有機繊維からなる補強コードをゴム被覆した第２リボン状体を螺旋状に巻回することで構成した一対の第２ベルト強化層とを備えた空気入りタイヤにおいて、前記第１ベルト強化層の幅方向両外側端に位置する第１リボン状体の末端部と、第２ベルト強化層の幅方向内側端に位置する第２リボン状体の末端部とを半径方向に重ね合わせるようにした空気入りタイヤにより、達成することができる。
【０００８】
第２に、対をなすビードコア間をトロイダル状に延びるカーカス層と、カーカス層の半径方向外側に配置され、タイヤ赤道Ｓに対して傾斜しているベルトコードが内部に埋設されたベルト層と、ベルト層の半径方向外側に配置されたトレッドと、ベルト層とトレッドとの間で前記ベルト層の幅方向中央部に重なり合うよう配置され、スチールコードをゴム被覆した第１リボン状体を螺旋状に巻回することで構成した第１ベルト強化層と、ベルト層とトレッドとの間で前記ベルト層の幅方向両端部に重なり合うよう配置され、高弾性の有機繊維からなる補強コードをゴム被覆した第２リボン状体を螺旋状に巻回することで構成した一対の第２ベルト強化層とを備えた空気入りタイヤの第１、第２ベルト強化層を円筒状の成形ドラム上において成形する際、前記第１ベルト強化層の幅方向両外側端に位置する第１リボン状体の末端部と、第２ベルト強化層の幅方向内側端に位置する第２リボン状体の末端部とを半径方向に重ね合わせるとともに、これらの長手方向における重なり合い量Ｍを第１ベルト強化層の１周長の 1％以上とした空気入りタイヤの製造方法により、達成することができる。
【発明の効果】
【０００９】
請求項１に係る発明においては、第１ベルト強化層の幅方向両外側端に位置する第１リボン状体の末端部と、第２ベルト強化層の幅方向内側端に位置する第２リボン状体の末端部とを半径方向に重ね合わせるようにしたので、これら第１および第２リボン状体内のスチールコードおよび補強コードの末端部同士は、これらを被覆する被覆ゴムを介して互いに連結されて、あたかもこれらスチールコード、補強コードが連続しているように振る舞い、これにより、内圧充填、径成長に基づく張力を有効に負担し、高速走行性能が向上する。そして、このような空気入りタイヤは、請求項５に記載の製造方法により容易かつ確実に製造することができる。
【００１０】
また、請求項２に記載のように構成すれば、重量増加を回避しながら、被覆ゴムを介してのスチールコードおよび補強コードの末端部同士の連結が強力となって、高速走行性能を確実に向上させることができ、さらに、請求項３に記載のように構成すれば、高速走行時におけるトレッド端部の径成長を効果的に抑制することができ、高速耐久性が向上する。また、請求項４に記載のように構成すれば、幅方向外側に位置する第２リボン状体の末端、および、第２ベルト強化層の幅方向外側端から亀裂、セパレーションが発生する事態を効果的に抑制することができる。
【発明を実施するための最良の形態】
【００１１】
以下、この発明の実施形態１を図面に基づいて説明する。
図１、２において、11は高速走行が可能な乗用車用空気入りラジアルタイヤであり、この空気入りタイヤ11は対をなす、ここでは一対のビードコア12がそれぞれ埋設されたビード部13と、これらビード部13から略半径方向外側に向かってそれぞれ延びるサイドウォール部14と、これらサイドウォール部14の半径方向外端同士を連結する略円筒状のトレッド部15とを備えている。なお、この発明は航空機あるいはトラック・バス用の空気入りタイヤに適用してもよい。
【００１２】
そして、この空気入りタイヤ11は前記対をなすビードコア12間をトロイダル状に延びてサイドウォール部14、トレッド部15を補強するカーカス層18を有し、このカーカス層18の幅方向両端部は前記ビードコア12の回りを折り返されている。前記カーカス層18は少なくとも１枚、ここでは２枚のカーカスプライ19から構成され、これらのカーカスプライ19内にはタイヤ赤道Ｓに対して70〜90度のコード角で交差する、即ち実質上ラジアル方向（子午線方向）に延びるポリエステル、ナイロン、芳香族ポリアミド、スチール等（ここでは、ポリエステル）から構成された多数本の互いに平行なカーカスコード20がそれぞれ埋設されている。
【００１３】
23はカーカス層18の半径方向外側に配置されたベルト層であり、このベルト層23は少なくとも１枚のベルトプライ、ここでは２枚のベルトプライ24、25を半径方向外側に向かってこの順序で積層することにより構成している。ここで、各ベルトプライ24、25の内部には多数本の互いに平行なベルトコード26、27がそれぞれ埋設され、これらのベルトコード26、27はスチールの撚り線あるいはモノフィラメントから構成されるとともに、少なくとも隣接する２枚のベルトプライ24、25においてタイヤ赤道Ｓに対し逆方向に傾斜して互いに交差している。
【００１４】
また、前記ベルトプライ24、25内のベルトコード26、27は、タイヤ赤道Ｓに対して所定の傾斜角で傾斜しているが、この傾斜角は15〜75度の範囲内である。30は前記ベルト層23の半径方向外側に配置されたゴムからなるトレッドであり、このトレッド30の外表面（踏面）には、排水性能を向上させるため、幅広で周方向に連続して延びる複数本、ここでは４本の主溝31が形成されている。また、前記トレッド30の外表面には幅方向や斜め方向に延びる多数本の横溝が形成されることもある。
【００１５】
34はベルト層23とトレッド30との間に配置された、換言すれば、ベルト層23の半径方向外側に密着配置された第１ベルト強化層であり、この第１ベルト強化層34は最狭幅のベルトプライ25より幅狭でベルト層23の幅方向中央部と重なり合っている。ここで、前記第１ベルト強化層34は少なくとも１枚（ここでは１枚）の第１強化プライ35から構成されており、この第１強化プライ35の内部にはタイヤ赤道Ｓに実質上平行に延びるスチールコード36が埋設されている。
【００１６】
この結果、第１ベルト強化層34によってトレッド部15に高いたが効果、曲げ剛性が付与され、これにより、高速走行時におけるトレッド中央部の半径方向外側への径成長は強力に抑制されるとともに、トラクション性能の向上が図られる。なお、この実施形態においてタイヤ赤道Ｓに実質上平行とは、タイヤ赤道Ｓとの交差角が 5度以下、通常は 2度以下の角度をいう。
【００１７】
そして、前述の第１ベルト強化層34は、図３、４に示すように、直線状に延びる１本または互いに平行な少数本、ここでは３本のスチールコード36を被覆ゴム39でゴム被覆して構成した一定幅の第１リボン状体40を幅方向に綾振りながら螺旋状に多数回巻回することで成形している。なお、この実施形態では隣接する第１リボン状体40の側端同士を突き合わせながら巻回して第１ベルト強化層34を成形しているが、隣接する第１リボン状体40の側端部を半径方向に重ね合わせながら巻回して第１ベルト強化層34を成形してもよい。
【００１８】
43、44はベルト層23とトレッド30との間に配置された、換言すれば、ベルト層23の半径方向外側に密着配置された一対の第２ベルト強化層であり、これらの第２ベルト強化層43、44は前記ベルト層23の幅方向両端部にそれぞれ重なり合うよう、詳しくは、ベルト層23の幅方向両端をそれぞれ跨ぐよう配置されている。そして、各第２ベルト強化層43、44は少なくとも１枚、ここではそれぞれ１枚の強化プライ45、46から構成されている
【００１９】
前記強化プライ45、46内にはタイヤ赤道Ｓに実質上平行に延びる高弾性の有機繊維からなる補強コード49、50がそれぞれ埋設されており、この結果、これら補強コード49、50によって第２ベルト強化層43、44に対し高い周方向引っ張り剛性が付与され、高速走行時におけるトレッド端部51の径成長が抑制される。ここで、前記補強コード49、50としては、芳香族ポリアミド繊維のみからなるコード、あるいは、芳香族ポリアミド繊維とポリエステル繊維、ナイロン繊維等とを同時に紡ぐことで撚り合わせた複合コードを用いることができる。なお、この実施形態において高弾性とは、弾性率が30ＧＰａ以上、好ましくは40〜50ＧＰａのものをいう。
【００２０】
このように補強コード49、50として、少なくとも一部に芳香族ポリアミド繊維を含むコードを用いれば、高速走行時におけるトレッド端部51の径成長を強力に抑制することができて高速耐久性を効果的に向上させることができるので、好ましい。なお、前記補強コード49、50として、ポリエチレンナフタレート（ポリエチレン−２，６−ナフタレート）繊維のみからなるコード、あるいは、前記繊維と芳香族ポリアミド繊維、ポリエステル繊維、ナイロン繊維等との複合コードを用いることもできる。
【００２１】
そして、このような第２ベルト強化層43、44は、前記第１ベルト強化層34と同様に、直線状に延びる１本または互いに平行な少数本、ここでは３本の補強コード49、50を被覆ゴム54、55でゴム被覆して構成した一定幅の第２リボン状体56を幅方向に綾振りながら螺旋状に多数回巻回することで成形している。なお、この実施形態では隣接する第２リボン状体56の側端同士を突き合わせながら巻回して第２ベルト強化層43、44を成形しているが、隣接する第２リボン状体56の側端部を半径方向に重ね合わせながら巻回して第２ベルト強化層43、44を成形してもよい。
【００２２】
ここで、幅方向一側に位置する第２ベルト強化層43は幅方向外端部が半径方向内側に位置するよう途中で折り返され、一方、幅方向他側に位置する第２ベルト強化層44は幅方向外端部が半径方向外側に位置するよう途中で折返されており、この結果、第２ベルト強化層43の幅方向外端部は外側部59と内側部60とから構成された２層構造と、一方、第２ベルト強化層44の幅方向外端部は外側部61と内側部62とから構成された２層構造となっている。
【００２３】
そして、このように第２ベルト強化層43、44が途中で折り返されて２層構造となっていると、第２ベルト強化層43を構成する第２リボン状体56の幅方向内側の末端（切断端）は第２ベルト強化層43（外側部59）の幅方向内側端43ａに位置し、一方、第２リボン状体56の幅方向外側の末端は第２ベルト強化層43の幅方向外側端43ｂより幅方向内側、即ち内側部60の幅方向内端に位置する。また、第２ベルト強化層44を構成する第２リボン状体56の幅方向内側の末端は第２ベルト強化層43（内側部62）の幅方向内側端44ａに位置し、一方、第２リボン状体56の幅方向外側の末端は第２ベルト強化層44の幅方向外側端44ｂより幅方向内側、即ち外側部61の幅方向内端に位置する。
【００２４】
このように第２ベルト強化層43、44を途中で折返して、幅方向外側に位置する第２リボン状体56の末端を２層構造となった第２ベルト強化層43、44の幅方向外側端43ｂ、44ｂより幅方向内側に位置させるようにすれば、これら末端における高速走行時の歪みを低減することができるとともに、幅方向外側端43ｂ、44ｂにおける補強コード49、50を連続したものとすることができるため、該末端および幅方向外側端43ｂ、44ｂから亀裂、セパレーションが発生する事態を効果的に抑制することができる。しかも、第２ベルト強化層43、44の周方向引っ張り剛性を充分に高くすることができるため、高速走行時におけるトレッド端部51の径成長を強力に抑制することもできる。
【００２５】
ここで、前述した第１ベルト強化層34の幅方向外側端34ａ、34ｂに位置する第１リボン状体40の両末端部65と、第２ベルト強化層43、44の幅方向内側端43ａ、44ａに位置する第２リボン状体56の末端部66とを半径方向に重ね合わせ、ここでは幅方向外側端34ａに位置する第１リボン状体40の末端部65の半径方向内側に幅方向内側端43ａに位置する第２リボン状体56の末端部66を、また、幅方向外側端34ｂに位置する第１リボン状体40の末端部65の半径方向外側に幅方向内側端44ａに位置する第２リボン状体56の末端部66を重ね合わせている。
【００２６】
この結果、これら第１リボン状体40および第２リボン状体56のスチールコード36および補強コード49、50の末端部同士は、これらを被覆する被覆ゴム39、54を介して互いに連結されて、あたかもこれらスチールコード36、補強コード49、50が連続しているように振る舞い、これにより、内圧充填、径成長に基づく張力を有効に負担し、高速走行性能が向上する。
【００２７】
ここで、第１、第２リボン状体40、56の末端部65、66同士の、第１、第２リボン状体40、56の長手方向における重なり合い量Ｌを、 5〜30mmの範囲内とすることが好ましい。その理由は、前記重なり合い量Ｌが 5mm以上であると、被覆ゴム39、54を介してのスチールコード36および補強コード49、50の末端部同士の連結が強力となり、高速走行性能を確実に向上させることができるが、 5mmより短くなるに従い（ 0mmに近付くに従い）前述の連結力が低下して高速走行性能の向上効果が徐々に低下してしまうからであり、また、30mmを超えると、前述の連結力が飽和する一方、重量増加の弊害が生じることがあるからである。
【００２８】
次に、前記実施形態１の作用について説明する。
前述のような空気入りタイヤ11を製造する場合には、まず、図示していない円筒状の第１成形ドラムを回転させながら、該第１成形ドラムにカーカスプライ19を次々に供給してその周囲に貼付け、円筒状のカーカス層18を成形する。次に、該第１成形ドラムおよびカーカス層18の軸方向中央部を拡径してカーカス層18に一対の段差部を形成するとともに、これら段差部にフィラー付きのビードコア12をそれぞれセットする。
【００２９】
その後、第１成形ドラムのブラダを膨張させ、ビードコア12より軸方向外側のカーカス層18をビードコア12の回りに軸方向内側に向かって折り返す。これにより、第１成形ドラムの周囲には円筒状をしたグリーンケースが成形されるが、このグリーンケースは、その後、図示していない搬送装置によって第１成形ドラムから第２成形ドラムまで搬送され、該第２成形ドラムの半径方向外側に嵌合されるとともに、ビードコア12が第２成形ドラムによって半径方向内側から把持される。
【００３０】
次に、前記第２成形ドラムにおいてビードコア12を互いに接近させながらビードコア12間のグリーンケース内に気体、例えばエアを供給して、該ビードコア12間のグリーンケースを断面が略円弧状となるよう半径方向外側に膨出させる。このとき、該グリーンケースの半径方向外側にベルト・トレッドバンドを供給して貼付け、グリーンタイヤを成形する。その後、前述したグリーンタイヤをタイヤ加硫装置に搬入して加硫を施し、空気入りタイヤ11を製造する。ここで、前述のベルト・トレッドバンドは、以下のような円筒状をした水平な成形ドラムとしてのバンド成形ドラム70上において成形する。
【００３１】
即ち、図５に示すようなバンド成形ドラム70を回転させるとともに、該バンド成形ドラム70にシート状のベルトプライ24、25を供給してその周囲に次々と貼付け、円筒状のベルト層23をまず成形する。その後、回転中のバンド成形ドラム70に第２リボン状体56を供給して該第２リボン状体56をベルト層23の幅方向一端部外側に巻回するが、このとき、該第２リボン状体56を図示していない綾振り手段により幅方向外側に綾振る（ずらす）ことで第２リボン状体56をその側端同士を突き合わせながら複数回螺旋状に巻回し、第２ベルト強化層43の内側部60を成形する。
【００３２】
そして、内側部60の幅方向外側端がベルト層23の幅方向一端より幅方向外側まで延びると、前述の綾振り手段による綾振り方向を逆転させ、即ち幅方向内側に向かうよう綾振り、これにより、内側部60およびベルト層23の半径方向外側に第２リボン状体56を螺旋状に複数回巻回して内側部60より幅広の外側部59を成形する。これにより、ベルト層23の幅方向一端部外側には途中で折り返された第２ベルト強化層43が成形される。
【００３３】
次に、バンド成形ドラム70に第１リボン状体40を供給するが、このとき、第２ベルト強化層43の外側部59を構成する第２リボン状体56の末端部66（終端部）の半径方向外側に、第１ベルト強化層34を構成する第１リボン状体40の末端部65（始端部）を、図６に示すように重ね合わせて貼付ける。次に、バンド成形ドラム70を前述と同一方向に回転させるとともに、第１リボン状体40を該バンド成形ドラム70（ベルト層23）の外側に供給して巻回するが、このとき、綾振り手段により前記第１リボン状体40を幅方向他側に向かって綾振ることで該第１リボン状体40をその側端同士を突き合わせながら多数回螺旋状に巻回し第１ベルト強化層34を成形する。
【００３４】
次に、バンド成形ドラム70に第２リボン状体56を供給するが、このとき、第１ベルト強化層34を構成する第１リボン状体40の末端部（終端部）の半径方向外側に、第２ベルト強化層44（内側部62）を構成する第２リボン状体56の末端部（始端部）を重ね合わせて貼付ける。次に、バンド成形ドラム70を前述と同一方向に回転させるとともに、第２リボン状体56を該バンド成形ドラム70（ベルト層23の幅方向他端部）の外側に供給して巻回するが、このとき、綾振り手段により前記第２リボン状体56を幅方向他側に向かって綾振ることで該第２リボン状体56をその側端同士を突き合わせながら複数回螺旋状に巻回し第２ベルト強化層44の内側部62を成形する。
【００３５】
そして、内側部62の幅方向外側端がベルト層23の幅方向他端より幅方向外側まで延びると、前述の綾振り手段による綾振り方向を逆転させ、即ち幅方向内側に向かうよう綾振り、これにより、内側部62の半径方向外側に第２リボン状体56を螺旋状に複数回巻回して内側部62より幅狭の外側部61を成形する。これにより、ベルト層23の幅方向他端部外側には途中で折り返された第２ベルト強化層44が成形される。
【００３６】
このような第１、第２ベルト強化層34、43、44の成形時、前述した第１ベルト強化層34の幅方向両外側端に位置する第１リボン状体40の末端部65と、第２ベルト強化層43、44の幅方向内側端に位置する第２リボン状体56の末端部66との、これら第１、第２リボン状体40、56の長手方向における重なり合い量Ｍを、第１ベルト強化層34の１周長の 1％以上としている。
【００３７】
これは、この実施例のような実質上周方向に延びる直線状のスチールコード36が埋設された第１ベルト強化層34を有するグリーンタイヤを加硫する場合、前述のように重なり合い量Ｍを第１ベルト強化層34の１周長の 1％以上とすれば、加硫後においても第１ベルト強化層34を構成する第１リボン状体40の末端部65と、第２ベルト強化層43、44を構成する第２リボン状体56の末端部66との間に重なり合い部が残り、これら第１、第２リボン状体40、56のスチールコード36と補強コード49、50との末端部同士を被覆ゴム39、54を介して互いに連結することができるからである。なお、第１ベルト強化層34の１周長の 1％は、通常の乗用車用タイヤにおいては20mm程度である。
【００３８】
なお、この実施形態においては、第２リボン状体56を螺旋状に巻回することで第２ベルト強化層43の内側部60、外側部59を前記順序で成形した後、第１リボン状体40を螺旋状に巻回することで第１ベルト強化層34を成形し、その後、第２リボン状体56を螺旋状に巻回することで第２ベルト強化層44の内側部62、外側部61を前記順序で成形したが、この発明においては、第１リボン状体40を螺旋状に巻回することで第１ベルト強化層34を成形した後、第２リボン状体56をベルト層23の幅方向両端部外側において螺旋状に巻回することで、第２ベルト強化層43および第２ベルト強化層44の内側部60、外側部59および内側部62、外側部61を前記順序で成形するようにしてもよい。
【００３９】
また、この発明においては、第２リボン状体56をベルト層23の幅方向両端部外側において螺旋状に巻回することで、第２ベルト強化層43および第２ベルト強化層44の内側部60、外側部59および内側部62、外側部61を前記順序で成形した後、第１リボン状体40を螺旋状に巻回することで第１ベルト強化層34を成形するようにしてもよい。次に、前記ベルト層23、第１、第２ベルト強化層34、43、44の半径方向外側にシート状のトレッド30を供給して貼付け、円筒状のトレッド30を成形する。このようにしてバンド成形ドラム70上にベルト・トレッドバンドが成形される。
【実施例１】
【００４０】
次に、試験例１について説明する。この試験に当たっては、第１リボン状体を巻回して構成した第１ベルト強化層のみを有する比較タイヤ１と、第１ベルト強化層を構成する第１リボン状体の端末と第２ベルト強化層を構成する第２リボン状体の端末との間に15mmの間隙が発生している比較タイヤ２と、第１ベルト強化層を構成する第１リボン状体の端末部と第２ベルト強化層を構成する第２リボン状体の端末部と長手方向重なり合い量Ｌがそれぞれ10mmである実施タイヤ１とを準備した。
【００４１】
ここで、前述の各タイヤは高性能乗用車用タイヤで、そのサイズは225/45Ｒ16であった。また、これらタイヤの骨格構造は、タイヤ赤道Ｓに対して90度で交差するポリエステルのカーカスコードが埋設された２枚のカーカスプライからなるカーカス層と、カーカス層の半径方向外側に配置され、タイヤ赤道Ｓに対して左上がり64度のスチールからなるベルトコードが埋設された内側のベルトプライ、および、右上がり64度のスチールからなるベルトコードが埋設された外側のベルトプライからなるベルト層とを備えたもので、前記第２ベルト強化層に埋設されている補強コードは芳香族ポリアミドのみから構成した。
【００４２】
次に、前記各タイヤに 200ｋPaの内圧を充填した後、６ｋＮの荷重を負荷しながらドラムに押し付けて高速走行させることにより、高速耐久試験を行った。ここで、この高速耐久試験とは、 100km/hの速度から各タイヤの走行を開始し、10分毎に10km/hのステップで速度を次々に増加させて故障発生時の速度を求める試験である。その結果は、比較タイヤ１では 300km/hで、比較タイヤ２では 280km/hでトレッド端部に故障が発生したが、実施タイヤ１では 330km/hまで故障が発生せず、高速耐久性が立証された。
【００４３】
次に、試験例２について説明する。この試験に当たっては、前記バンド成形ドラムに対する第１、第２リボン状体の貼付け時に、これら第１、第２リボン状体の末端部同士を第１ベルト強化層の１周長の 0％だけ重なり合わせて（突き合わせて）製造した比較タイヤ３と、同様に第１、第２リボン状体の末端部を第１ベルト強化層の１周長の 1％だけ重なり合わせて製造した実施タイヤ２とを準備した。
【００４４】
なお、前述した各タイヤのサイズ、骨格構造は前記試験例１と同様である。そして、このような各タイヤを10本ずつ製造した後、トレッドを剥がして第１、第２ベルト強化層を構成する第１、第２リボン状体の末端間に間隙が生じているか否かを検査した。その結果は、比較タイヤ３においては最大15mm程度の間隙が２本のタイヤで発生していたが、実施タイヤ２においては、間隙が発生したタイヤは存在しなかった。
【産業上の利用可能性】
【００４５】
この発明は、ベルト層とトレッドとの間にベルト強化層を配置した空気入りタイヤの産業分野に適用できる。
【図面の簡単な説明】
【００４６】
【図１】この発明の実施形態１を示す子午線断面図である。
【図２】一部破断平面図である。
【図３】第１、第２リボン状体の重なり合い状態を説明する一部破断平面図である。
【図４】図３のＩ−Ｉ矢視断面図である。
【図５】成形ドラム、ベルト層、ベルト強化層を示す一部破断正面図である。
【図６】一部が破断された図５のII−II矢視図である。
【符号の説明】
【００４７】
11…空気入りタイヤ           12…ビードコア
18…カーカス層               23…ベルト層
26、27…ベルトコード         30…トレッド
34…第１ベルト強化層         34ａ、ｂ…幅方向外側端
36…スチールコード           40…第１リボン状体
43、44…第２ベルト強化層     43ａ、44ａ…幅方向内側端
43ｂ、44ｂ…幅方向外側端     49、50…補強コード
56…第２リボン状体           65、66…末端部
70…成形ドラム
【図１】
2009248573.tif 000003
【図２】
2009248573.tif 000004
【図３】
2009248573.tif 000005
【図４】
2009248573.tif 000006
【図５】
2009248573.tif 000007
【図６】
2009248573.tif 000008